(57)【要約】【課題】石油残渣利用施設に石油残渣を安定的に供給することができるボイラシステムを提供する。【解決手段】ボイラシステムは、石油残渣を生成する石油残渣供給施設に設けられた第１ボイラと、石油残渣供給施設とは離隔した石油残渣利用施設に設けられ、石油残渣供給施設から搬送された石油残渣を燃料とする第２ボイラと、第２ボイラで生成される蒸気を石油残渣供給施設に供給するための蒸気供給ラインと、を備えている。【選択図】図１
2020169793.tif 000002
【特許請求の範囲】
【請求項１】
石油残渣を生成する石油残渣供給施設に設けられた第１ボイラと、
前記石油残渣供給施設とは離隔した石油残渣利用施設に設けられ、前記石油残渣供給施設から搬送された前記石油残渣を燃料とする第２ボイラと、
前記第２ボイラで生成される蒸気を前記石油残渣供給施設に供給するための蒸気供給ラインと、を備えた、ボイラシステム。
【請求項２】
前記石油残渣供給施設における蒸気の需給情報を取得する管理装置を備え、
前記管理装置は、前記石油残渣供給施設における蒸気の供給量から前記石油残渣供給施設における蒸気の需要量を差し引いた差が所定値以下となった場合に、前記第２ボイラに対して蒸気要求信号を送信し、
前記第２ボイラは、前記蒸気要求信号を受信した場合、前記石油残渣供給施設に蒸気を供給可能にさせるような運転を行う、請求項１に記載のボイラシステム。
【請求項３】
前記第１ボイラを制御する第１制御装置を備え、
前記第１制御装置は、前記第１ボイラにおける蒸気生成量が所定値以下となった場合に、前記第２ボイラに対して蒸気要求信号を送信し、
前記第２ボイラは、前記蒸気要求信号を受信した場合、前記石油残渣供給施設に蒸気を供給可能にさせるような運転を行う、請求項１または２に記載のボイラシステム。
【請求項４】
前記第２ボイラを制御する第２制御装置を備え、
前記第２制御装置は、前記蒸気要求信号を受信した場合に、前記蒸気要求信号を受信する前に比べて前記第２ボイラにおける蒸気生成量を増大させるように制御する、請求項２または３に記載のボイラシステム。
【請求項５】
前記第２制御装置は、前記蒸気要求信号を受信していない場合に、前記第２ボイラが生成可能な蒸気の最大量より少ない第１蒸気生成量を、前記第２ボイラにおける蒸気生成量として設定し、前記蒸気要求信号を受信した場合に、前記第１蒸気生成量より多い第２蒸気生成量を、前記第２ボイラにおける蒸気生成量として設定する、請求項４に記載のボイラシステム。
【請求項６】
前記第２ボイラで生成された蒸気を用いて発電を行う発電装置と、
前記第２ボイラを制御する第２制御装置と、を備え、
前記第２制御装置は、前記第２ボイラで生成される蒸気生成量のうちの所定量を前記発電装置に供給するように前記第２ボイラから前記発電装置への蒸気の供給量を制御し、前記蒸気要求信号を受信した場合に、前記第２ボイラから前記発電装置への蒸気の供給量を低減するように制御する、請求項２から５の何れかに記載のボイラシステム。
【請求項７】
前記第２ボイラで生成された蒸気を用いて発電を行う発電装置と、
前記第２ボイラを制御する第２制御装置と、を備え、
前記第２制御装置は、
前記蒸気要求信号を受信した場合に、前記蒸気要求信号を受信する前に比べて前記第２ボイラにおける蒸気生成量を増大させるように制御し、
前記第２ボイラにおける蒸気生成量を増大している状態で、さらに前記石油残渣供給施設への蒸気の供給が必要となった場合に、前記第２ボイラから前記発電装置への蒸気の供給量を低減するように制御する、請求項２または３に記載のボイラシステム。
【請求項８】
それぞれが互いに離隔して設けられ、蒸気を生成するボイラを備えた複数の蒸気生成施設と、
一の蒸気生成施設における前記ボイラで生成される蒸気を他の蒸気生成施設に供給するための蒸気供給ラインと、を備えた、ボイラシステム。
【発明の詳細な説明】
【技術分野】
【０００１】
本発明は、蒸気を生成するボイラを含むボイラシステムに関する。
【背景技術】
【０００２】
従来から、製油所等の石油精製施設では、常圧蒸留装置を用いて原油を、沸点に応じて異なる複数種類の留分（例えば、ナフサ、ガソリン、軽油、重油等）に分離している。このうち、重油は、ボイラまたは船舶の燃料として利用されているが、重油には、硫黄、窒素等の不純物が含まれているため、燃焼時にＳＯｘまたはＮＯｘ等の排出が懸念される環境負荷が大きい燃料と言える。このため、今後は重油を燃料としてそのまま利用しなくなり、重油の需要が低下することが予想される。
【０００３】
これに関し、常圧蒸留装置で分離された重油をさらに精製してガソリン等のより低い沸点の留分を取り出す分解装置が知られている（例えば、下記特許文献１参照）。このような分解装置により、重油から再度需要の高い留分を取り出すことができるが、それにより難燃性の石油残渣が残留分として排出される。したがって、今後はこのような石油残渣の排出量が増加することが予想される。
【０００４】
石油残渣の利用態様として、これを燃料とする専焼ボイラ（以下、石油残渣焚きボイラ）が知られている（例えば、下記特許文献２参照）。現在、石油残渣焚きボイラは、石油残渣が排出される石油精製施設に設置されることが多く、重油の分解処理（改質処理）において必要となる蒸気も石油精製施設に設けられる石油残渣焚きボイラにおいて供給される。
【０００５】
上述した通り、今後は石油残渣の排出量の増加が見込まれるため、石油残渣焚きボイラを、石油精製施設が設けられるエリアとは離隔された別のエリア、例えば、石油化学工場、製鉄工場等、蒸気を大量に使用する工場施設（石油残渣利用施設）を含むエリアに設けることが考えられる。この場合、石油残渣利用施設において石油残渣焚きボイラを用いて蒸気を安定的に生成するためには、その燃料である石油残渣を石油残渣利用施設に安定的に供給する必要がある。
【先行技術文献】
【特許文献】
【０００６】
【特許文献１】特開２００８−２９７４７１号公報
【特許文献２】特開２０１２−１０７８２５号公報
【発明の概要】
【発明が解決しようとする課題】
【０００７】
そこで、本発明は、石油残渣利用施設に石油残渣を安定的に供給することができるボイラシステムを提供することを目的とする。
【課題を解決するための手段】
【０００８】
前記課題を解決するために、本発明の一態様に係るボイラシステムは、石油残渣を生成する石油残渣供給施設に設けられた第１ボイラと、前記石油残渣供給施設とは離隔した石油残渣利用施設に設けられ、前記石油残渣供給施設から搬送された前記石油残渣を燃料とする第２ボイラと、前記第２ボイラで生成される蒸気を前記石油残渣供給施設に供給するための蒸気供給ラインと、を備えている。
【０００９】
上記構成によれば、石油残渣供給施設に、石油残渣供給施設とは離隔した石油残渣利用施設に設けられ、石油残渣を燃料とする第２ボイラで生成される蒸気が蒸気供給ラインを通じて供給可能となる。これにより、石油残渣供給施設に設けられる第１ボイラが故障、補修または災害の発生等により停止または出力を制限して運転している場合であっても、石油残渣を生じる石油残渣生成装置に蒸気を供給することができる。このように、石油残渣生成装置への蒸気供給の冗長性を高めることにより、石油残渣が安定的に生成され、石油残渣利用施設に設けられた第２ボイラに燃料となる石油残渣を安定的に供給することができる。したがって、石油残渣利用施設において蒸気を安定的に生成することができる。
【００１０】
前記ボイラシステムは、前記石油残渣供給施設における蒸気の需給情報を取得する管理装置を備え、前記管理装置は、前記石油残渣供給施設における蒸気の供給量から前記石油残渣供給施設における蒸気の需要量を差し引いた差が所定値以下となった場合に、前記第２石油ボイラに対して蒸気要求信号を送信し、前記第２ボイラは、前記蒸気要求信号を受信した場合、前記石油残渣供給施設に蒸気を供給可能にさせるような運転を行ってもよい。これにより、石油残渣供給施設における需給バランスが需要過多になった場合ないし需要過多になりそうな場合に、第２ボイラにおいて生成される蒸気を石油残渣供給施設に供給することができる。
【００１１】
前記ボイラシステムは、前記第１ボイラを制御する第１制御装置を備え、前記第１制御装置は、前記第１ボイラにおける蒸気生成量が所定値以下となった場合に、前記第２ボイラに対して蒸気要求信号を送信し、前記第２ボイラは、前記蒸気要求信号を受信した場合、前記石油残渣供給施設に蒸気を供給可能にさせるような運転を行ってもよい。これにより、第１ボイラの蒸気生成量が低下した場合に、第２ボイラにおいて生成される蒸気を石油残渣供給施設に供給することができる。
【００１２】
前記ボイラシステムは、前記第２ボイラを制御する第２制御装置を備え、前記第２制御装置は、前記蒸気要求信号を受信した場合に、前記蒸気要求信号を受信する前に比べて前記第２ボイラにおける蒸気生成量を増大させるように制御してもよい。第２ボイラにおける蒸気生成量を増大させることにより、石油残渣利用施設における蒸気の使用量を抑えることなく石油残渣利用施設に設けられる第２ボイラから石油残渣供給施設へ蒸気を供給することができる。
【００１３】
前記第２制御装置は、前記蒸気要求信号を受信していない場合に、前記第２ボイラが生成可能な蒸気の最大量より少ない第１蒸気生成量を、前記第２ボイラにおける蒸気生成量として設定し、前記蒸気要求信号を受信した場合に、前記第１蒸気生成量より多い第２蒸気生成量を、前記第２ボイラにおける蒸気生成量として設定してもよい。第２ボイラの蒸気生成量を、石油残渣供給施設に蒸気を供給しない場合において、そのボイラの生成可能な蒸気の最大量より少なくして余力を残しておくことにより、石油残渣供給施設への蒸気の供給を開始する前から石油残渣利用施設で生成された蒸気を利用する施設に供給する蒸気量が不足することを防止することができる。
【００１４】
前記ボイラシステムは、前記第２ボイラで生成された蒸気を用いて発電を行う発電装置と、前記第２ボイラを制御する第２制御装置と、を備え、前記第２制御装置は、前記第２ボイラで生成される蒸気生成量のうちの所定量を前記発電装置に供給するように前記第２ボイラから前記発電装置への蒸気の供給量を制御し、前記蒸気要求信号を受信した場合に、前記第２ボイラから前記発電装置への蒸気の供給量を低減するように制御してもよい。石油残渣供給施設への蒸気の供給を開始する際に発電に用いられる蒸気の量を低減させることにより、石油残渣供給施設への蒸気の供給を開始する前から石油残渣利用施設で生成された蒸気を利用する施設に供給する蒸気量が不足することを防止することができる。
【００１５】
前記ボイラシステムは、前記第２ボイラで生成された蒸気を用いて発電を行う発電装置と、前記第２ボイラを制御する第２制御装置と、を備え、前記第２制御装置は、前記蒸気要求信号を受信した場合に、前記蒸気要求信号を受信する前に比べて前記第２ボイラにおける蒸気生成量を増大させるように制御し、前記第２ボイラにおける蒸気生成量を増大している状態で、さらに前記石油残渣供給施設への蒸気の供給が必要となった場合に、前記第２ボイラから前記発電装置への蒸気の供給量を低減するように制御してもよい。
【００１６】
本発明の他の態様に係るボイラシステムは、それぞれが互いに離隔して設けられ、蒸気を生成するボイラを備えた複数の蒸気生成施設と、一の蒸気生成施設における前記ボイラで生成される蒸気を他の蒸気生成施設に供給するための蒸気供給ラインと、を備えている。
【発明の効果】
【００１７】
本発明によれば、石油残渣利用施設に石油残渣を安定的に供給することができる。
【図面の簡単な説明】
【００１８】
【図１】図１は、本発明の一実施の形態に係る石油残渣焚きボイラシステムの概略構成を示すブロック図である。
【図２】図２は、図１に示す石油残渣焚きボイラシステムにおける制御系の構成を示すブロック図である。
【図３】図３は、本発明の一実施の形態の変形例に係る石油残渣焚きボイラシステムの概略構成を示すブロック図である。
【発明を実施するための形態】
【００１９】
以下、本発明の一実施の形態に係るボイラシステムについて説明する。以下では、ボイラシステムとして、石油残渣を燃料として蒸気を生成する石油残渣焚きボイラを備えた石油残渣焚きボイラシステムに基づいて説明する。図１は、本発明の一実施の形態に係る石油残渣焚きボイラシステムの概略構成を示すブロック図である。なお、図１においては、原油ないし石油残渣の燃料の流れを一点鎖線の矢印で示し、後述する石油残渣焚きボイラで生成された蒸気の流れを破線の矢印で示し、制御の流れを実線の矢印で示している。
【００２０】
石油残渣焚きボイラシステム１は、石油残渣供給施設２に設けられた第１ボイラ９と、石油残渣利用施設３に設けられた第２ボイラ７とを含んでいる。石油残渣供給施設２は、例えば石油精製装置を備えた製油所等である。石油残渣供給施設２は、重油を分解して石油残渣を生じる分解装置４を備えている。本実施の形態において、石油残渣供給施設２は、常圧蒸留装置５をさらに備えている。常圧蒸留装置５は、原油を沸点に応じて異なる複数種類の留分（例えば、ナフサ、ガソリン、軽油、重油等）に分離するように構成されている。常圧蒸留装置５で分離された重油が分解装置４に供給される。常圧蒸留装置５は、各留分を分離した残りの残留物である常圧残油を排出する。分解装置４は、重油を分解してガソリン等のより低い沸点の留分を取り出すように構成されている。この際、分解装置４は、重油から低沸点の留分を取り出した残りの残留物を石油残渣として排出する。石油残渣供給施設２は、図示しない減圧蒸留装置を備えていてもよい。減圧蒸留装置は、常圧蒸留装置５で分離された常圧残油をさらに蒸留分離して、減圧軽油を取り出す。減圧蒸留装置は、減圧軽油を分離した残りの残留物である減圧残油を排出する。石油精製装置は、上記のような常圧蒸留装置５、分解装置４および減圧蒸留装置の少なくとも何れか１つを含んでいる。
【００２１】
さらに、石油残渣供給施設２は、管理装置６を備えている。管理装置６は、図示しない演算装置、記憶装置等を備えたコンピュータとして構成される。管理装置６は、原油ないし石油残渣の種類、成分または性状（以下、性状等）のデータを取得し、管理する。例えば、石油残渣供給施設２は、供給される原油のロットごとに成分分析を行い、その性状等をロット番号とともに管理装置６に記憶させる。これに加えて、または、これに代えて、原油の採掘地が異なるごとに原油ないし石油残渣に対して成分分析を行ってもよい。
【００２２】
石油残渣利用施設３は、蒸気を生成するボイラ（第２ボイラ）７を備えている。本実施の形態において、第２ボイラ７は、石油残渣を燃料とする石油残渣焚きボイラである。第２ボイラ７は、石油残渣を燃料として燃焼することにより、蒸気を生成する。石油残渣利用施設３は、第２ボイラ７で生成された蒸気を用いて製品の製造等を行う蒸気利用プラント８を備えている。
【００２３】
石油残渣利用施設３は、石油残渣供給施設２とは、離隔して設けられる。すなわち、石油残渣供給施設２と石油残渣利用施設３とは、互いに異なる区画として明確に区画されている。図１の例では、石油残渣供給施設２と石油残渣利用施設３とは、少なくとも１つの公道Ｒ１により隔てられている。なお、区画の態様は、これに限定されない。例えば、石油残渣供給施設２と石油残渣利用施設３とは、少なくとも１つのフェンス、少なくとも１つの私道により隔てられていてもよい。また、石油残渣供給施設２と石油残渣利用施設３とは、所有者または当該施設２，３における事業者または利用者が異なっていてもよい。石油残渣利用施設３は、例えば、石油化学工場、製鉄工場、製紙工場、発電所等、蒸気を大量に使用する工場施設である。例えば、石油残渣利用施設３は、工場地帯に設けられる。
【００２４】
石油残渣供給施設２にも、ボイラ（第１ボイラ）９が設けられる。本実施の形態において、第１ボイラ９も石油残渣焚きボイラである。石油残渣供給施設２は、第１ボイラ９で生成された蒸気を用いて石油の精製等を行う蒸気利用プラント１０を備えている。なお、図１においては、蒸気利用プラント１０を分解装置４および常圧蒸留装置５とは別の設備として示しているが、この蒸気利用プラント１０には、分解装置４および常圧蒸留装置５も含まれる。さらに、石油残渣供給施設２が減圧蒸留装置を備えている場合には、減圧蒸留装置も蒸気利用プラント１０に含まれる。
【００２５】
例えば、分解装置４および常圧蒸留装置５において、蒸気は、原料または取り出した留分を加熱するために用いられる。減圧蒸留装置においても、蒸気は、原料または取り出した留分を加熱するために用いられる。さらに、分解装置４は、重油に蒸気を吹き込んで、低沸点成分を抜き出す処理を行うストリッパを備えている。第１ボイラ９で生成された蒸気は、重油に吹き込む蒸気（ストリッピングスチーム）として分解装置４に供給される。このように、分解装置４および常圧蒸留装置５において、蒸気は石油残渣を生成するために必要とされる。
【００２６】
石油残渣供給施設２の分解装置４で生じた石油残渣は、同施設内の第１ボイラ９に搬送されるとともに、石油残渣利用施設３の第２ボイラ７にも搬送される。第１ボイラ９または第２ボイラ７への石油残渣の搬送は、石油残渣が固形の場合、例えばベルトコンベヤ（図示せず）により行われ、石油残渣が液状の場合、例えば残渣供給配管（図示せず）を通じて行われてもよい。また、石油残渣利用施設３が石油残渣供給施設２から比較的遠隔地にある場合には、例えば石油残渣が収容される所定の収容体を備えたトラック、または、所定の収容体が積載されるトラック等により搬送してもよい。
【００２７】
石油残渣供給施設２には、第１ボイラ９を制御する制御装置（第１制御装置）１１が設けられる。同様に、石油残渣利用施設３には、第２ボイラ７を制御する制御装置（第２制御装置）１２が設けられる。これらの制御装置１１，１２は、マイクロコントローラ、記憶装置、操作入力装置等を備えている。
【００２８】
石油残渣供給施設２は、外部の蒸気利用施設（図示せず）に第１ボイラ９で生成された蒸気を供給可能である。同様に、石油残渣利用施設３は、外部の蒸気利用施設（図示せず）に第２ボイラ７で生成された蒸気を供給可能である。なお、外部の蒸気利用施設は、１または複数設けられていてもよいし、設けられていなくてもよい。また、石油残渣供給施設２および石油残渣利用施設３の何れからも蒸気が供給可能な外部の蒸気利用施設が存在してもよい。
【００２９】
さらに、石油残渣供給施設２および石油残渣利用施設３には、それぞれ、ボイラ９，７で生成された蒸気を用いて発電を行う発電装置（蒸気発電装置）４１，４２が設けられている。発電装置４１，４２は、石油残渣供給施設２内または石油残渣利用施設３内に設けられていてもよいし、施設外に設けられていてもよい。発電装置４１，４２に供給された蒸気は、発電に利用された後に排気される。この排気が、蒸気利用プラント１０，８に供給されてもよい。
【００３０】
なお、図１には、石油残渣焚きボイラシステム１として、１つの石油残渣供給施設２と１つの石油残渣利用施設３とを備えた構成が示されている。これに代えて、１つの石油残渣供給施設２と複数の石油残渣利用施設３とを備えていてもよい。複数の石油残渣利用施設３の構成は、上述した石油残渣利用施設３の構成と同様の構成を有していてもよいし、ボイラ７以外の構成が異なっていてもよい。
【００３１】
このように、石油残渣利用施設３として蒸気を大量に使用する工場施設に、第２ボイラ７が設けられることにより、当該工場施設（石油残渣利用施設３）における蒸気の安定供給を実現することができる。また、石油残渣利用施設３において生成された蒸気を石油残渣供給施設２に供給可能とすることにより、石油残渣供給施設２と石油残渣利用施設３との間で蒸気の融通を行うことができる。また、第２ボイラ７で生成される蒸気のうち、工場施設で使用する割合および発電装置４２での発電に供給される割合をより直接的に計画、設定することができる。
【００３２】
石油残渣焚きボイラシステム１は、第２ボイラ７で生成される蒸気を石油残渣供給施設２に供給するための蒸気供給ライン(蒸気戻りライン)１８を備えている。蒸気戻りライン１８は、第２ボイラ７の蒸気排出口（図示せず）に接続される蒸気供給配管等により構成されている。
【００３３】
上記構成によれば、石油残渣供給施設２に、石油残渣供給施設２とは離隔した石油残渣利用施設３に設けられた石油残渣焚きボイラである第２ボイラ７で生成される蒸気を、蒸気供給ライン（蒸気戻りライン）１８を通じて供給可能となる。これにより、石油残渣供給施設２に設けられる第１ボイラ９が故障、補修または災害の発生等により停止または出力を制限して運転している場合であっても、石油残渣を生じる石油残渣生成装置である分解装置４または常圧蒸留装置５に蒸気を供給することができる。このように、分解装置４への蒸気供給の冗長性を高めることにより、石油残渣が安定的に生成され、石油残渣利用施設３に設けられた第２ボイラ７に、燃料となる石油残渣を安定的に供給することができる。したがって、石油残渣利用施設３において蒸気を安定的に生成することができる。
【００３４】
蒸気戻りライン１８には、少なくとも第２ボイラ７側（蒸気流通方向下流側）に開閉弁２０が設けられ、蒸気戻りライン１８を通じた蒸気の流通または遮断を切り替え可能に構成されている。これに加えてまたはこれに代えて、蒸気戻りライン１８の石油残渣供給移設２側（蒸気流通方向下流側）に開閉弁が設けられていてもよい。
【００３５】
第２制御装置１２は、第２ボイラ７で生成された蒸気を、蒸気戻りライン１８を通じて搬送する場合に、開閉弁２０の開閉を制御してもよい。これに代えて、開閉弁２０は人手によって開閉操作されてもよい。
【００３６】
さらに、第１ボイラ９で生成された蒸気は、石油残渣利用施設３にも供給することが可能である。例えば、図示しないが、石油残渣焚きボイラシステム１は、第１ボイラ９で生成される蒸気を石油残渣利用施設３に供給するための蒸気供給ライン（蒸気分配ライン）を備えていてもよい。このような蒸気分配ラインは、第１ボイラ９の蒸気排出口（図示せず）に接続される蒸気供給配管等により構成されている。蒸気分配ラインには、少なくとも第１ボイラ９側（蒸気流通方向上流側）に開閉弁（図示せず）が設けられ、蒸気分配ラインを通じた蒸気の流通または遮断を切り替え可能に構成されている。これにより、第１ボイラ９で生成された蒸気を、石油残渣利用施設３の蒸気利用プラント８等に供給可能となる。
【００３７】
また、蒸気分配ラインは、第１ボイラ９と石油残渣利用施設３以外の蒸気利用施設との間に設けられてもよい。これにより、第１ボイラ９で生成された蒸気を、石油残渣利用施設３のない蒸気利用施設に供給可能となる。
【００３８】
本実施の形態において、石油残渣供給施設２の管理装置６は、石油残渣供給施設２における蒸気の需給情報を取得するように構成されている。管理装置６は、石油残渣供給施設２における蒸気の需給情報に基づいて石油残渣利用施設３に対して蒸気戻りライン１８を介した蒸気供給の要求を行う。
【００３９】
管理装置６は、常圧蒸留装置５および分解装置４を含む蒸気利用プラント１０と通信可能に接続され、蒸気利用プラント１０からの蒸気の需要量の情報を取得可能に構成されている。管理装置６は、蒸気量プラント１０で必要とされる蒸気量を、石油残渣供給施設２における蒸気の需要量として記憶する。なお、第１ボイラ９で生成された蒸気を外部の蒸気利用施設に供給する場合には、外部の蒸気利用施設で必要とされる蒸気量を石油残渣供給施設２における蒸気の需要量に含めてもよい。この場合、管理装置６は、第１ボイラ９から蒸気を供給し得る外部の蒸気利用施設と通信可能に接続され、外部の蒸気利用施設からの蒸気の需要量の情報を取得可能に構成されてもよい。管理装置６は、蒸気利用プラント１０で必要とされる蒸気量に、外部の蒸気利用施設で必要とされる蒸気量を加えた蒸気量を、石油残渣供給施設２における蒸気の需要量として記憶する。
【００４０】
図２は、図１に示す石油残渣焚きボイラシステムにおける制御系の構成を示すブロック図である。図２に示すように、石油残渣供給施設２の管理装置６は、石油残渣供給施設２内の第１ボイラ９を制御する第１制御装置１１と通信可能に接続されている。管理装置６と第１制御装置１１とは、ＬＡＮ等により接続されてもよいし、下記所定の通信網１５を介して接続されてもよい。
【００４１】
第１制御装置１１は、第１ボイラ９の蒸気生成量の情報を所定のタイミングで取得し、その情報を管理装置６に送信する。管理装置６は、第１制御装置１１から取得した第１ボイラ９の蒸気生成量を石油残渣供給施設２における蒸気の供給量（第１ボイラ９から供給可能な蒸気量）として記憶する。
【００４２】
さらに、管理装置６は、インターネット等の所定の通信網１５を介して石油残渣利用施設３内の第２ボイラ７を制御する第２制御装置１２と通信可能に接続されている。
【００４３】
管理装置６は、石油残渣供給施設２における蒸気の供給量ＶＳから石油残渣供給施設２における蒸気の需要量ＶＤを差し引いた差ΔＶ（＝ＶＳ−ＶＤ）が所定値Ｖｔｈ以下となった場合に、第２ボイラ７（の第２制御装置１２）に対して蒸気要求信号Ｓｄを送信する。第２ボイラ７の第２制御装置１２は、蒸気要求信号Ｓｄを受信した場合、石油残渣供給施設２に蒸気を供給可能にさせるような運転を行うように第２ボイラ７を制御する。第２ボイラ７において生成された蒸気の一部は、蒸気戻りライン１８を通じて石油残渣供給施設２に供給される。
【００４４】
蒸気要求信号Ｓｄを送信する基準となる上記所定値Ｖｔｈは、０であってもよいし、正の値でもよい。すなわち、蒸気の供給量ＶＳと需要量ＶＤとが一致した場合、または蒸気の供給量ＶＳが需要量ＶＤより多いが、蒸気の需要量ＶＤが供給量ＶＳを上回るおそれがあると判断される場合に、蒸気要求信号Ｓｄが送信される。
【００４５】
これにより、石油残渣供給施設２における需給バランスが需要過多になった場合ないし需要過多になりそうな場合に、第２ボイラ７において生成される蒸気を石油残渣供給施設２に供給することができる。
【００４６】
本実施の形態において、第２制御装置１２は、蒸気要求信号Ｓｄを受信した場合に、石油残渣供給施設２に蒸気を供給可能にさせるような運転として、蒸気要求信号Ｓｄを受信する前に比べて第２ボイラ７における蒸気生成量を増大させるように制御する。第２ボイラ７における蒸気生成量を増大させることにより、石油残渣利用施設３における蒸気の使用量を抑えることなく石油残渣利用施設３に設けられる第２ボイラ７から石油残渣供給施設２へ蒸気を供給することができる。
【００４７】
なお、１回の蒸気要求信号Ｓｄにおける第２ボイラ７から石油残渣供給施設２への蒸気の供給量は、石油残渣供給施設２において必要な蒸気の量（不足量）としてもよい。この場合、例えば、蒸気要求信号Ｓｄには、蒸気の不足量の情報が含まれる。蒸気の不足量の情報は、石油残渣供給施設２における上記差ΔＶ（＝ＶＳ−ＶＤ）であってもよいし、このΔＶに基づいて段階的に複数のレベルが定められる不足レベルであってもよい。蒸気要求信号Ｓｄに不足レベルが含まれる場合、複数の不足レベルのそれぞれに対応して石油残渣供給施設２に供給する蒸気量が第２制御装置１２に予め記憶されている。第２制御装置１２は、蒸気要求信号Ｓｄに含まれる不足レベルを読み出し、これに対応する蒸気を石油残渣供給施設２に供給する。
【００４８】
これに代えて、１回の蒸気要求信号Ｓｄにおける第２ボイラ７から石油残渣供給施設２への蒸気の供給量は、上記差ΔＶにかかわらない予め定められた量であってもよい。この場合、蒸気要求信号Ｓｄには、石油残渣供給施設２に供給すべき蒸気量についての情報は含まれていなくてもよい。
【００４９】
第２ボイラ７の制御態様についてより詳細に説明する。第２制御装置１２は、蒸気要求信号の受信前後で互いに異なる負荷で第２ボイラ７を制御するように構成されている。第２制御装置１２は、蒸気要求信号を受信していない場合に、第２ボイラ７が生成可能な蒸気の最大量ＶＭより少ない第１蒸気生成量Ｖ１を、第２ボイラ７における蒸気生成量（第１負荷）として設定する。例えば、第１蒸気生成量Ｖ１は、最大量ＶＭの８０％に設定される。
【００５０】
第２制御装置１２は、蒸気要求信号Ｓｄを受信した場合に、第１蒸気生成量Ｖ１より多い第２蒸気生成量Ｖ２を、第２ボイラ７における蒸気生成量（第２負荷）として設定する。例えば、第２蒸気生成量Ｖ２は、第２ボイラ７が生成可能な蒸気の最大量ＶＭ（１００％）に設定される。
【００５１】
このように、第２ボイラ７の蒸気生成量を、石油残渣供給施設２に蒸気を供給しない場合において、その第２ボイラ７の生成可能な蒸気の最大量ＶＭより少なくして余力を残しておくことにより、石油残渣供給施設２への蒸気の供給を開始する前から石油残渣利用施設３で使用する蒸気量および石油残渣利用施設３で生成された蒸気を利用する外部の施設に供給する（供給可能な）蒸気量が不足することを防止することができる。
【００５２】
なお、管理装置６は、第２ボイラ７から蒸気の供給を受けている場合においても引き続き石油残渣供給施設２における蒸気の需給情報を取得し得る。例えば、蒸気戻りライン１８が石油残渣供給施設２と複数の石油残渣利用施設３との間に敷設されている場合、管理装置６は、複数の石油残渣利用施設３のうちの何れか１つの石油残渣利用施設３に設けられた第２ボイラ７に対して蒸気要求信号Ｓｄを送信する。
【００５３】
管理装置６は、当該第２ボイラ７から蒸気の供給を受けている状態で、さらに、石油残渣供給施設２における需給バランスが需要過多になった場合ないし需要過多になりそうであると判定した場合、複数の石油残渣利用施設３のうちの他の石油残渣利用施設３に設けられた第２ボイラ７に対して蒸気要求信号Ｓｄを送信する。このように、石油残渣供給施設２における需給バランスの状態に応じて複数の石油残渣利用施設３から蒸気が供給され得る。この場合、蒸気の供給量ＶＳには、すでに石油残渣利用施設３（第２ボイラ７）から供給されている蒸気量も含まれる。
【００５４】
なお、管理装置６は、石油残渣供給施設２に蒸気を供給可能な複数の第２ボイラ７を制御する複数の第２制御装置１２のすべてに蒸気要求信号Ｓｄを送信し、各第２制御装置１２からの蒸気供給可否信号の返信を受信するように構成され、蒸気供給可否信号に含まれる情報に基づいて、蒸気の供給を行う第２ボイラ７を決定してもよい。
【００５５】
複数の石油残渣利用施設３の中から１つの石油残渣利用施設３を選択するための基準として、例えば、石油残渣供給施設２と石油残渣利用施設３との距離（蒸気戻りライン１８の長さ）を用い、この距離が短い順に石油残渣利用施設３を選択する優先順位が設定されてもよい。または、上記基準として、蒸気要求信号Ｓｄを送信するときの各石油残渣利用施設３における需給情報を用い、蒸気供給に余裕のある順（例えば供給量から需要量を差し引いた量が多い順）に石油残渣利用施設３を選択する優先順位が設定されてもよい。または、上記基準として、蒸気要求信号Ｓｄを送信するときの各石油残渣利用施設３に設けられた第２ボイラ７の稼働状況（現在の蒸気生成量の生成可能な蒸気の最大量ＶＭに対する割合（％））を用い、負荷の軽い（割合の低い）順に石油残渣利用施設３を選択する優先順位が設定されてもよい。
【００５６】
石油残渣利用施設３の需給状況に基づいて蒸気の供給を行う第２ボイラ７を決定する場合には、蒸気供給可否信号に石油残渣利用施設３の需給状況に関する情報が含まれる。同様に、第２ボイラ７の稼働状況に基づいて蒸気の供給を行う第２ボイラ７を決定する場合には、蒸気供給可否信号に第２ボイラ７の稼働状況に関する情報が含まれる。
【００５７】
なお、優先順位を設けずに、すべての石油残渣利用施設３に対し、蒸気要求信号Ｓｄを送信し、蒸気要求信号Ｓｄを受信したすべての第２ボイラ７から蒸気の供給を受けてもよい。この場合、第２ボイラ７ごとに、石油残渣供給施設２に供給する蒸気量またはその割合が予め設定されていてもよい。
【００５８】
さらに、本実施の形態において、第１制御装置１１は、第１ボイラ９における蒸気生成量が所定値ＶＧ以下となった場合に、第２ボイラ７に対して蒸気要求信号Ｓｄを送信する。したがって、第２ボイラ７の第２制御装置１２は、第１ボイラ９における蒸気生成量が所定値ＶＧ以下となった場合に、第２ボイラ７が石油残渣供給施設２に蒸気を供給可能にさせるような運転を行い、石油残渣供給施設２に蒸気を供給する。
【００５９】
これにより、第１ボイラ９の蒸気生成量が低下した場合に、第２ボイラ７において生成される蒸気を石油残渣供給施設２に供給することができる。このため、例えば、第１ボイラ９が故障により停止した場合、第１ボイラ９の補修作業の実施により稼働できない場合、石油残渣供給施設２において災害等が発生し、第１ボイラ９が停止または出力制限等の制限運転を行っている場合等においても、石油残渣供給施設２における蒸気の供給量ＶＳを確保することができる。
【００６０】
さらに、本実施の形態において、第２制御装置１２は、第２ボイラ７で生成される蒸気生成量のうちの所定量を発電装置４２に供給するように第２ボイラ７から発電装置４２への蒸気の供給量を制御している。なお、発電装置４２に供給する蒸気の所定量は絶対量でもよいし、第２ボイラ７における蒸気生成量に対して予め定められる割合に基づく量でもよい。第２制御装置１２は、蒸気要求信号Ｓｄを受信した場合に、石油残渣供給施設２に蒸気を供給可能にさせるような運転として、第２ボイラ７から発電装置４２への蒸気の供給量を低減するように制御してもよい。
【００６１】
この場合、低減された分の蒸気が石油残渣供給施設２に供給される。例えば、石油残渣供給施設２への蒸気の供給がない場合、石油残渣利用施設３における蒸気生成量の５０％を発電装置４２に供給し、石油残渣供給施設２への蒸気の供給を行う場合、第２ボイラ７における蒸気生成量の３０％を発電装置４２に供給し、差分の２０％を石油残渣供給施設２に供給してもよい。石油残渣供給施設２への蒸気の供給を開始する際に発電に用いられる蒸気の量を低減させることにより、石油残渣供給施設２の蒸気の供給を開始する前後において、石油残渣利用施設３で使用される蒸気量が変化することを防止することができる。
【００６２】
上記発電装置４２への蒸気の供給量を低減する制御は、第２ボイラ７の蒸気生成量を増やす制御と独立して（並列に）実行されてもよい。これに代えて、第２制御装置１２は、第２ボイラ７の蒸気生成量を増やす制御を優先的に実行し、さらに石油残渣供給施設２への蒸気の供給が必要となった場合に、発電装置４２への蒸気の供給量を低減する制御を実行してもよい。例えば、第２ボイラ７の蒸気生成量を増やして石油残渣供給施設２へ蒸気を供給している状態で、さらに蒸気要求信号Ｓｄを受信した場合に、第２制御装置１２は、発電装置４２への蒸気の供給量を低減する制御を実行してもよい。また、第２ボイラ７の蒸気生成量を増やしても石油残渣供給施設２へ供給すべき蒸気量が不足する場合に、第２制御装置１２は、発電装置４２への蒸気の供給量を低減する制御を実行してもよい。
【００６３】
以上、本発明の実施の形態について説明したが、本発明は上記実施の形態に限定されるものではなく、その趣旨を逸脱しない範囲内で種々の改良、変更、修正が可能である。
【００６４】
例えば、上記実施の形態において、石油残渣供給施設２に設けられる第１ボイラ９として石油残渣焚きボイラを例示したが、第１ボイラ９は、石油残渣焚きボイラ以外のボイラでもよい。例えば、第１ボイラ９は、所定のガスを燃料とするガス焚きボイラ、石炭焚きボイラ等の化石燃料を用いたボイラ、焼却炉等の排熱を利用する排熱ボイラ等、種々のボイラを適用可能である。また、第２ボイラ７として用いられる石油残渣焚きボイラは、二段燃焼方式の専焼ボイラ等、石油残渣を燃料とする限り、どのようなボイラを用いてもよい。また、石油残渣供給施設２には、第１ボイラ９の代わりにガスタービン等を利用したボイラ以外の蒸気生成装置が設けられていてもよい。
【００６５】
また、上記実施の形態において、石油残渣供給施設２は、常圧蒸留装置５および分解装置４を備えた石油精製施設として構成されている。上記実施の形態において、分解装置４が、石油残渣を生成する石油残渣生成装置として構成される。このため、石油残渣供給施設２は、常圧蒸留装置５等の石油精製設備を備えていなくてもよい。すなわち、石油残渣供給施設２は、石油精製施設とは別の施設として構成されてもよい。逆に、石油残渣供給施設２は、常圧蒸留装置５を備え、分解装置４を備えていなくてもよい。この場合、常圧蒸留装置５で生じた常圧残油等を石油残渣として石油残渣利用施設３に搬送してもよい。すなわち、石油残渣生成装置は、常圧蒸留装置５であってもよい。また、石油残渣供給施設２が減圧蒸留装置を備えている場合、減圧蒸留装置で生じた減圧残油等を石油残渣として石油残渣利用施設３に搬送してもよい。すなわち、石油残渣生成装置は、減圧蒸留装置であってもよい。このように、本明細書および特許請求の範囲における石油残渣は、石油精製工程における蒸留装置、分解装置または溶剤脱れき装置等の各種装置において生成される残油または難燃性油を含む。
【００６６】
また、上記実施の形態において、石油残渣供給施設２における蒸気の需給情報に基づいて石油残渣利用施設３の第２ボイラ７に対して蒸気供給の要求を行う態様と、第１ボイラ９における蒸気生成量に基づいて石油残渣利用施設３の第２ボイラ７に対して蒸気供給の要求を行う態様とがそれぞれ行われる態様について説明したが、いずれか一方の態様のみが実行されてもよい。
【００６７】
また、上記実施の形態において、第２ボイラ７の蒸気生成量を、石油残渣供給施設２に蒸気を供給しない場合において、蒸気を供給する場合に比べて少なくしておく態様について説明したが、第２ボイラ７の蒸気生成量を石油残渣供給施設２に蒸気を供給するか否かで変わらないようにしてもよい。例えば、石油残渣供給施設２に蒸気を供給する場合に、所定の蒸気利用プラント８または蒸気利用施設１４への蒸気供給を停止または蒸気供給量を低減してもよい。
【００６８】
また、上記実施の形態において、第２ボイラ７で生成された蒸気を、蒸気戻りライン１８を通じて石油残渣供給施設２に供給する態様について説明したが、第１ボイラ９で生成された蒸気を、蒸気分配ラインを通じて石油残渣利用施設３に供給する場合についても上記実施の形態において説明した制御態様を同様に適用可能である。
【００６９】
また、複数の石油残渣利用施設３間に蒸気供給ラインを設けて、複数の石油残渣利用施設３間での蒸気の流通を可能としてもよい。図３は、本発明の一実施の形態の変形例に係る石油残渣焚きボイラシステムの概略構成を示すブロック図である。図３の例において図１と同様の構成については同じ符号を付し、説明を省略する。本変形例における石油残渣焚きボイラシステム１Ｂは、蒸気を生成するボイラ７１を備えた第１蒸気生成施設３１と、第１蒸気生成施設３１とは離隔して設けられ、蒸気を生成するボイラ７２を備えた第２蒸気生成施設３２と、を備えている。本変形例において、ボイラ７１，７２が石油残渣焚きボイラとして構成される。したがって、蒸気生成施設３１，３２は、上記実施の形態における石油残渣利用施設３に相当する。
【００７０】
さらに、石油残渣的ボイラシステム１Ｂは、第１蒸気生成施設３１におけるボイラ７１で生成される蒸気を第２蒸気生成施設３２に供給するための第１蒸気供給ライン５１を備えている。さらに、石油残渣焚きボイラシステム１Ｂは、第２蒸気生成施設３２におけるボイラ７２で生成される蒸気を第１蒸気生成施設３１に供給するための第２蒸気供給ライン５２を備えている。各蒸気供給ライン５１，５２を通じた蒸気の搬送制御についても上記実施の形態において説明した制御態様を同様に適用可能である。
【００７１】
本変形例によれば、第１蒸気供給ライン５１に設けられた開閉弁５３を開弁することにより、第１蒸気生成施設３１のボイラ７１で生成された蒸気を第２蒸気生成施設３２に供給することができる。同様に、蒸気供給ライン５２に設けられた開閉弁５４を開弁することにより、第２蒸気生成施設３２のボイラ７２で生成された蒸気を第１蒸気生成施設３１に供給することができる。
【００７２】
このように、蒸気供給ライン５１，５２を通じて、ボイラ７１，７２が設けられる複数の蒸気生成施設３１，３２間で蒸気の融通を行うことができる。各蒸気生成施設３１，３２が、それぞれ、その蒸気生成施設３１，３２で使用する蒸気を生成し、蒸気の供給を行う場合、ボイラ７１，７２の燃料となる石油残渣が不足したり、あるいは、ボイラ７１，７２が故障、補修または災害の発生等により停止または出力を制限して運転したりすると、当該蒸気生成施設３１，３２における蒸気の供給が滞り、蒸気を利用する様々な処理工程が遅延する等の影響が生じる。
【００７３】
これに対し、本変形例によれば、複数の蒸気生成施設３１，３２のうちの一の蒸気生成施設に設けられるボイラ７１，７２の燃料となる石油残渣が不足した場合、あるいは、ボイラ７１，７２が故障、補修または災害の発生等により停止または出力を制限して運転している場合であっても、当該蒸気生成施設３１，３２に別の蒸気生成施設３２，３１から蒸気を供給することができる。このように、複数の蒸気生成施設３１，３２間の蒸気供給の冗長性を高めることにより、各蒸気生成施設３１，３２で使用される蒸気および各蒸気生成施設３１，３２が蒸気を供給している外部の蒸気利用施設に対して安定的な蒸気の供給を行うことができる。
【００７４】
なお、本変形例においては、ボイラ７１，７２が石油残渣焚きボイラである場合に基づいて説明したが、本変形例の蒸気供給ライン５１，５２が適用されるボイラシステムにおいて、ボイラ７１，７２は、石油残渣焚きボイラ以外のボイラ（例えば、上記ガス焚きボイラ、化石燃料を用いたボイラ、排熱ボイラ等）であってもよい。
【００７５】
また、３つ以上の蒸気生成施設においても同様に蒸気供給ライン５１，５２を配することが可能である。この場合、いくつかの蒸気生成施設において共通の蒸気供給ライン５２としてもよい。また、蒸気生成施設によっては、他の蒸気生成施設からの蒸気の供給が行われない蒸気生成施設、または、他の蒸気生成施設に蒸気の供給を行わない蒸気供給施設があってもよい。また、図３の例では、蒸気供給ライン５１，５２において蒸気の供給方向が一定となるような構成を例示している。すなわち、第２蒸気生成施設３２に蒸気を供給する第１蒸気供給ライン５１と、第１蒸気生成施設３１に蒸気を供給する第２蒸気供給ライン５２とが個別に設けられている。これに代えて、蒸気供給ライン５１，５２を共通のラインとして構成し、場合によって蒸気の供給方向を切り替えるようにしてもよい。
【００７６】
また、上記実施の形態において、石油残渣供給施設２における蒸気の需給情報を取得する管理装置６が、石油残渣供給施設２に設けられる態様について説明した。すなわち、上記実施の形態によれば、石油残渣供給施設２において、当該石油残渣供給施設２における蒸気の需給情報を取得し、石油残渣供給施設２における需給バランスが需要過多になった場合または需要過多になりそうな場合に、石油残渣利用施設３における第２ボイラ７に対して蒸気を要求する通知を行い、第２ボイラ７から石油残渣供給施設２への蒸気の供給を受ける。立場を変えると、石油残渣利用施設３において、石油残渣供給施設２における蒸気の需給情報に基づいて石油残渣供給施設２における需給バランスが需要過多になった場合または需要過多になりそうな場合に、第２ボイラ７における蒸気の生成量を増やし、蒸気戻りライン１８を通じて石油残渣供給施設２に蒸気を供給する。
【００７７】
これに代えて、管理装置６は、石油残渣利用施設３に設けられていてもよい。この場合、石油残渣利用施設３における管理装置６が、石油残渣供給施設２における蒸気の需給情報を取得し、管理装置６が設けられた石油残渣供給施設２の第２制御装置１２に蒸気要求信号Ｓｄを送信してもよい。すなわち、石油残渣供給施設２において、石油残渣供給施設２における蒸気の需給情報を石油残渣利用施設３に通知し、第２ボイラ７から石油残渣供給施設２への蒸気の供給を受けてもよい。立場を変えると、石油残渣利用施設３において、石油残渣供給施設２における蒸気の需給情報を取得し、石油残渣供給施設２における需給バランスが需要過多になったか否かまたは需要過多になりそうであるか否かを判定し、石油残渣供給施設２における需給バランスが需要過多になった場合または需要過多になりそうな場合に、第２ボイラ７における蒸気の生成量を増やし、蒸気戻りライン１８を通じて石油残渣供給施設２に蒸気を供給してもよい。
【００７８】
また、上記実施の形態において、第１制御装置１１が、第１ボイラ９における蒸気生成量が所定値以下となった場合に、第２ボイラ７に対して蒸気要求信号Ｓｄを送信する態様について説明した。すなわち、上記実施の形態によれば、石油残渣供給施設２において、第１ボイラ９における蒸気生成量が所定値以下となったか否かを判定し、所定値以下となった場合に、石油残渣利用施設３における第２ボイラ７に対して蒸気を要求する通知を行い、第２ボイラ７から石油残渣供給施設２への蒸気の供給を受ける。立場を変えると、石油残渣利用施設３において、第１ボイラ９における蒸気生成量が所定値以下となった場合に、第２ボイラ７における蒸気の生成量を増やし、蒸気戻りライン１８を通じて石油残渣供給施設２に蒸気を供給する。
【００７９】
これに代えて、石油残渣利用施設３に設けられる管理装置または第２制御装置１２が第１ボイラ９における蒸気生成量が所定値以下となったか否かを判定してもよい。この場合、第１ボイラ９から石油残渣利用施設３に対して定期的に第１ボイラ９における蒸気生成量の情報を送信し、石油残渣利用施設３の管理装置または第２制御装置１２が当該情報に基づいて蒸気生成量が所定値以下となったか否かを判定する。すなわち、石油残渣供給施設２において、第１ボイラ９における蒸気生成量の情報を石油残渣利用施設３に通知し、第２ボイラ７から石油残渣供給施設２への蒸気の供給を受けてもよい。立場を変えると、石油残渣利用施設３において、第１ボイラ９における蒸気生成量の情報を取得し、第１ボイラ９における蒸気生成量が所定値以下になったか否かを判定し、第１ボイラ９における蒸気生成量が所定値以下になった場合に、第２ボイラ７における蒸気の生成量を増やし、蒸気戻りライン１８を通じて石油残渣供給施設２に蒸気を供給してもよい。
【００８０】
また、管理装置６が石油残渣供給施設２および石油残渣利用施設３以外の施設に設けられてもよい。この場合、管理装置６は、石油残渣供給施設２または石油残渣利用施設３に設けられてもよいし、これらの施設２，３以外の施設に設けられてもよい。この場合、管理装置６は、石油残渣供給施設２における蒸気の需給情報および／または第１ボイラ９の蒸気生成量の情報を取得し、蒸気の要否判定を行う。さらに、管理装置６は、石油残渣供給施設２において蒸気が必要と判定された場合に、石油残渣利用施設３における第２ボイラ７（の第２制御装置１２）に対して蒸気を要求する通知を行う（例えば蒸気要求信号を送信する）ことにより、第２ボイラ７の蒸気を第１ボイラ９に供給させる。このように、石油残渣供給施設２と石油残渣利用施設３との間の上記やり取りを、別の施設（または装置）を介して行ってもよい。
【００８１】
また、石油残渣供給施設２に設けられる管理装置６および／または第１制御装置１１が石油残渣利用施設３の設備として構成されてもよい。
【００８２】
また、上記実施の形態において、第２制御装置１２が蒸気要求信号Ｓｄを受信した場合に、第２ボイラ７における蒸気生成量を増大させるような運転を行うように制御する態様について説明したが、石油残渣利用施設３の作業者が石油残渣供給施設２における蒸気量が不足している場合に、第２ボイラ７における蒸気生成量を増大させるような運転を行うように第２ボイラ７を操作するとともに、第２ボイラ７において生成された蒸気を、蒸気戻りライン１８を通じて石油残渣供給施設２に供給する操作（開閉弁２０の開操作）を行うようにしてもよい。
【００８３】
この場合、蒸気要求信号Ｓｄの代わりに、石油残渣供給施設２から石油残渣利用施設３に電話等による連絡によって蒸気供給の要求を伝えてもよい。
【産業上の利用可能性】
【００８４】
本発明は、石油残渣利用施設に石油残渣を安定的に供給するために有用である。
【符号の説明】
【００８５】
１，１Ｂ  石油残渣焚きボイラシステム（ボイラシステム）
２  石油残渣供給施設
３  石油残渣利用施設
３１，３２  蒸気生成施設
６  管理装置
７  第２ボイラ
９  第１ボイラ
１１  第１制御装置
１２  第２制御装置
１８  蒸気戻りライン（蒸気供給ライン）
【図１】
2020169793.tif 000003
【図２】
2020169793.tif 000004
【図３】
2020169793.tif 000005